(57)【特許請求の範囲】
【請求項１】
容器の吐出口へ取付けられ内容物を吐出可能な開口を有するキャップ本体と、このキャップ本体の側面に軸支され前記開口を開放及び閉止する蓋と、で構成されるキャップにおいて、
前記キャップ本体の側面へ中間部が軸支され、この軸支部回りに揺動可能とされた押し部材と、前記押し部材の端部と前記蓋の回転軸支部とを連結し押し部材の揺動動作を蓋の開閉動作に換える連結手段と、を有することを特徴とするキャップ。
【請求項２】
前記連結手段を介して連結されている前記押し部材の上端にスリットを形成し、前記蓋の開閉角度によって蓋へ開放方向あるいは閉止方向の回転力を付与するスプリングヒンジ機構としたことを特徴とする請求項１に記載のキャップ。
【請求項３】
前記押し部材の側壁に、前記キャップ本体に形成された溝へ係合離脱可能な突起が設けられたことを特徴とする請求項１または請求項２に記載のキャップ。
【発明の詳細な説明】
【０００１】
【産業上の利用分野】
本発明は、容器の吐出口に取付けられるキャップに関する。
【０００２】
【従来の技術】
胡椒、塩等の調味料が充填された容器の吐出口に嵌められるキャップには、使い勝手を考えて、いわゆるプッシュ・アンド・プッシュで蓋を開閉する構造を備えたものがある。
【０００３】
図７から図１１に示すように、このキャップ３００には、容器３０２に取付けられる筒状のキャップ本体３０３の側面へ、ボタン３０４が押圧可能に設けられている。
【０００４】
このボタン３０４の裏面には、薄肉ヒンジ３０６でスライドレバー３０８がボタン３０４に対して揺動可能に連結されており、このスライドレバー３０８は、容器３０２の吐出口を横断するように配置されたハウジング３１０の中を通って、キャップ本体３０３へ回転軸３１２で回転可能に取付けられた蓋３１４の回転軸支部に至っている。
【０００５】
また、スライドレバー３０８には、長手方向に沿って長孔３１６が形成されている。この長孔３１６に中には、リンクレバー３１８の一端に設けられたピン３１３が揺動可能に挿入され、リンクレバー３１８が揺動しながら移動可能となっている。さらに、リンクレバー３１８は、スライドレバー３０８に保持されたスプリング３２０によって、蓋３１４の回転軸支部に向かって付勢されている。
【０００６】
一方、リンクレバー３１８の他端には、係合部３２２が凹設されている。この係合部３２２は、蓋３１４の閉止状態において、蓋３１４の回転軸支部に設けられ回転軸３１２の下側からボタン３０４に向かって突出する受け部３２４と摺動可能に係合している。また、蓋３１４の裏面には、階段状にスライドレバー３０８の先端が当たる押圧面３２６、３２８、３３０が順次形成されている。
【０００７】
このような、キャップ３００の構造では、図８に示すように、蓋３１４が閉止した状態において、スライドレバー３０８の先端が押圧面３２６と対面し、このとき、リンクレバー３１８がスプリング３２０の付勢力によって、受け部３２４を押している。従って、回転軸３１２回りに反時計方向の回転モーメントが生じる。これによって、蓋３１４の閉止状態が維持され、不用意に開放しないようになっている。
【０００８】
次に、ボタン３０４を押すと、図９に示すように、スライドレバー３０８が蓋３１４の押圧面３２８から押圧面３２６へと順次押して、蓋３１４を傾倒させる。これによって、受け部３２４が回転軸３１２の回りを時計方向へ回転し、回転軸３１２の上方へ回転する。
【０００９】
このとき、リンクレバー３１８がスプリング３２０の付勢力に抗しながら、長孔３１６に沿って移動し、受け部３２４に案内されて係合部３２２がスライドレバー３０８の先端より上方へ移動し、回転軸３１２回りに時計回りの回転モーメントを発生させる。これによって、スライドレバー３０８で最後まで蓋３１４を押し開かなくても、自動的に蓋３１４が開放する。
【００１０】
ここで、図１０に示すように、ボタン３０４から手を離すと、スプリング３２０の付勢力で、ボタン３０４と共にスライドレバー３０８が矢印Ａ方向へ移動し、スライドレバー３０８の先端が、押圧面３２６から回転軸３１２より下方にある押圧面３３０へ移動する。また、このとき、スプリング３２０の付勢力で、リンクレバー３１８が回転軸３１２の上に移動した受け部３２４を押圧するので、蓋３１４はガタつかず開放状態を保持される。
【００１１】
次に、ボタン３０４を押すと、スライドレバー３０８が回転軸３１２の下方にある押圧面３３０を押すので、反時計回りの回転モーメントが蓋３１４の回転軸支部に発生し、蓋３１４が閉じる。図１１に示すように、この蓋３１４の回転によって、受け部３２４が回転軸３１２の下方へ移動すると、スプリング３２０の付勢力によって、リンクレバー３１８が受け部３２４を押し下げ、蓋３１４が自動的に閉止する。
【００１２】
すなわち、このキャップ構造では、スライドレバー３０８へ回転かつ摺動可能に支持されたリンクレバー３１８の働きによって、回転軸３１２を基準として、回動した蓋３１４の受け部３２４の上下部を押すことによって、蓋３１４の閉止状態及び開放状態を保持し、また、蓋３１４をスライドレバー３０８で完全に開放あるいは閉止しなくても、スプリング３２０に付勢されたリンクレバー３１８によって、所定の位置から自動的に蓋３１４を開閉するようになっている。
【００１３】
しかしながら、容器のキャップのように、大量生産が前提となる商品では、組付け及び製造コストの面から、部品点数が少なく、構造がシンプルであることが要求される。
【００１４】
また、ボタン３０４による押圧力を蓋３１４の回転軸支部へ伝えるスライドレバー３０８が、容器３０２の吐出口を横断するため、吐出口の流出量に一定の制限が課せられる。
【００１５】
【発明が解決しようとする課題】
本発明は上記事実を考慮し、部品点数が少なく、また、吐出口を横断する構造を採ることなく、いわゆるプッシュ・アンド・プッシュ式で蓋が開閉するキャップを提供することを目的とする。
【００１６】
【課題を解決するための手段】
請求項１に記載のキャップは、容器の吐出口へ取付けられ内容物を吐出可能な開口を有するキャップ本体と、このキャップ本体の側面に軸支され前記開口を開放及び閉止する蓋と、で構成されるキャップにおいて、前記キャップ本体の側面へ中間部が軸支され、この軸支部回りに揺動可能とされた押し部材と、前記押し部材の端部と前記蓋の回転軸支部とを連結し押し部材の揺動動作を蓋の開閉動作に換える連結手段と、を有することを特徴としている。
【００１７】
請求項２に記載のキャップは、前記連結手段を介して連結されている前期押し部材の上端にスリットを形成し、前記蓋の開閉角度によって蓋へ開放方向あるいは閉止方向の回転力を付与するスプリングヒンジ構造としたことを特徴としている。
【００１８】
請求項３に記載のキャップは、前記押し部材の側壁に、前記キャップ本体に形成された溝へ係合離脱可能な突起が設けられたことを特徴としている。
【００１９】
【作用】
請求項１に記載のキャップでは、開口を有するキャップ本体が、容器の吐出口へ取付けられ、キャップ本体の側面に軸支された蓋を開け閉めすることによって、開口を開放及び閉止する。
【００２０】
このキャップ本体の側面には、押し部材の中間部が軸支されており、押し部材の端部を押圧することによって、軸支部回りに揺動可能となっている。この押し部材の端部は、連結手段で蓋の回転軸支部に連結されている。
【００２１】
ここで、押し部材の端部を押圧すると、押し部材が軸支部回りに揺動し、連結手段が蓋の回転軸支部をキャップ本体側へ押しやる。これによって、蓋の回転軸支部に蓋を開放させる方向の回転モーメントが発生して、蓋が開放する。
【００２２】
次に、押し部材の他端を押圧すると、押し部材が軸支部回りに揺動し、連結手段が蓋の回転軸支部をキャップ本体の外側へ引っ張る。これによって、蓋の回転軸支部に蓋を閉止させる方向の回転モーメントが発生して、蓋が閉止する。
【００２３】
このように、押し部材の揺動動作を蓋の開閉動作に換える連結手段を蓋の回転軸支部に設けることによって、構造が簡単なプッシュ・アンド・プッシュ式の蓋開閉機構を構築することができる。
【００２４】
請求項２に記載のキャップでは、連結手段を介して連結されている押し部材の上端にスリットが形成されスプリングヒンジ構造が構築されている。これによって、押し部材を揺動させ、蓋を完全に開閉させなくても、蓋が所定の角度開閉すれば、スプリングヒンジの付勢力で、後は自動的に開閉する。
【００２５】
請求項３に記載のキャップでは、押し部材の側壁に突起が設けられており、キャップ本体に形成された溝に係合離脱するようになっている。
【００２６】
従って、押し部材を押圧し続けなくても、押し部材がロックされるので、蓋の閉止状態が維持され、また、スプリングヒンジを設けなくても、蓋がガタ付くことがない。
【００２７】
【実施例】
図１〜図４に示すように、本実施例に係るキャップ１０は、容器１２の吐出口へ取付けられる筒状のキャップ本体１６を備えている。
【００２８】
このキャップ本体１６には、容器１２の吐出口が挿入され、頂面１８を貫通する筒体２０を通じて、容器１２内の内容物が吐出されるようになっている。なお、この筒体２０は、頂面１８から立設されており、後述する蓋２２の裏面に形成された円筒状の差込み体２３が、蓋２２の閉止状態で挿入されるようになっている。
【００２９】
一方、キャップ本体１６の側面の一部は上下方向へ凹設され、収納部２４が形成されている。この収納部２４の側壁２４Ａの上部には、回転軸２６が突設されている。この回転軸２６へ、円形の蓋２２の外周部から直交するように張り出した軸体３０に穿設された軸孔２８が回転可能に嵌め込まれるようになっている。この軸体３０の外面には凹部３０Ａが凹設されており、その下端部（軸孔２８より下側）には、薄肉ヒンジ３２を介して押し部材３４の上端が連結されている。
【００３０】
この押し部材３４の上端には、図１に示すように、薄肉ヒンジ３２を間において、２条のスリット６０が形成されており、このスリット６０によって切り残された部位が板ばね６２となって、内側へ撓み付勢力を発揮できるようになっている（図５参照）。
【００３１】
押し部材３４は、内部が中空の箱体で、頂面３７が長手方向の両端から中央にかけて、側壁３９の高さを減少させる方向へ傾斜している。また、側壁３９の中央には、それぞれ両側へ回転軸３６が突設されている。この回転軸３６は、収納部２４の側壁２４Ａに上下方向へ形成された長溝３８へ、下方から挿入されるようになっている。これによって、押し部材３４は、長溝３８に軸支された回転軸３６回りに揺動可能となる。
【００３２】
また、押し部材３４の下端側の側壁３９には、突起４０が突設されており、両側の側壁３９を内側に撓ませながら、長溝３８と係合し、また、長溝３８から離脱できるようになっている。これによって、押し部材３４の下端部側を押圧したとき、突起４０が長溝３８と係合して、押し部材３４がロックされる。
【００３３】
さらに、押し部材３４の内部中央には、リブ６６が配設されており、収納部２４の下端から上斜め方向へ張り出した係止片６８に当たって、長溝３８から回転軸３６が抜けないように保持している。また、押し部材３４の下端には、ストッパー７０が突設され、収納部２４の底面２４Ｂに当たって、押し部材３４の揺動を一定の範囲に制限している。
【００３４】
次に、本実施例に係るキャップの作用を説明する。
図４に示すように、蓋２２が閉止している状態では、押し部材３４の下端が底面２４Ｂ側へ押し込まれ、突起４０が長溝３８と係合してロックされている。この状態では、薄肉ヒンジ３２には、軸体３０の下端（軸孔２８より下側）をキャップ本体１６の外側へ引っ張る力が作用しているので、蓋２２の回転軸２８回りには、蓋２２を閉止させる方向の回転モーメントが発生している。このため、蓋２２は閉止状態を維持している。
【００３５】
ここで、図５に示すように、押し部材３４の上端を押すと、突起４０が長溝３８から離れて、押し部材３４が回転軸３６回りに揺動する。これによって、薄肉ヒンジ３２には、軸体３０の下端を底面２４Ｂ側へ押し込む力が作用し、蓋２２が次第に開放する。このとき、板ばね６２が内側に撓んで、薄肉ヒンジ３２をばね力でさらに底面２４Ｂ側へ押し込む。このため、図６に示すように、回転軸２８回りに蓋２２を開放させる方向の回転モーメントが発生して、蓋２２が所定角度開放すると自動的に開放する。ここで、図３に示すように、突起４０が収納部２４の縁部に当たっているので、この状態で押し部材３４の揺動は停止され、蓋２２が開放状態でロックされる。
【００３６】
次に、押し部材３４の下端を押すと、押し部材３４が回転軸３６回りに揺動し、突起４０が長溝３８と係合して、押し部材３４がロックされる。この動作によって、薄肉ヒンジ３２には、軸体３０の下端（軸孔２８より下側）をキャップ本体１６の外側へ引っ張る力が作用し、蓋２２が閉止される。このとき、押し部材３４の押し込み量は、ストッパー７０が内筒１４の外面に当たることによって、制限される。
【００３７】
なお、本実施例では、押し部材３４の上端にスリット６０を形成し板ばね６２を構成したが、薄肉ヒンジ３２だけでも、蓋２２を開閉させることができる。
【００３８】
【発明の効果】
本発明は上記構成としたので、部品点数が少なく、また、吐出口を横断する構造を採ることなく、いわゆるプッシュ・アンド・プッシュ式で蓋を開閉させることができる。
【図面の簡単な説明】
【図１】本実施例に係るキャップを示す斜視図である。
【図２】本実施例に係るキャップを示す分解斜視図である。
【図３】本実施例に係るキャップの押し部材のロック状態を示す斜視図である。
【図４】本実施例に係るキャップの蓋の開閉動作を示す断面図である。
【図５】本実施例に係るキャップの蓋の開閉動作を示す断面図である。
【図６】本実施例に係るキャップの蓋の開閉動作を示す断面図である。
【図７】従来のキャップを示す斜視図である。
【図８】従来のキャップの蓋の開閉動作を示す断面図である。
【図９】従来のキャップの蓋の開閉動作を示す断面図である。
【図１０】従来のキャップの蓋の開閉動作を示す断面図である。
【図１１】従来のキャップの蓋の開閉動作を示す断面図である。
【符号の説明】
２４    収納部
２６    軸溝
３２    薄肉ヒンジ（連結手段）
３４    押し部材
３６    回転軸
３８    長溝
４０    突起
６０    スリット
６２    板ばね（スプリングヒンジ）
【図１】
0003544005.tif 000002
【図２】
0003544005.tif 000003
【図３】
0003544005.tif 000004
【図４】
0003544005.tif 000005
【図５】
0003544005.tif 000006
【図６】
0003544005.tif 000007
【図７】
0003544005.tif 000008
【図８】
0003544005.tif 000009
【図９】
0003544005.tif 000010
【図１０】
0003544005.tif 000011
【図１１】
0003544005.tif 000012